(57)【要約】【課題】円柱状の飲料容器を適切に保持可能な収納空間内で様々な大きさのスマートフォンをガタつかせることなく適切に保持すること。【解決手段】収納ホルダは、円形の開口部を有するアッパパネルと、開口部に通じる収納空間を有するホルダ部材と、を備える。ホルダ部材は、有底円筒状の本体ホルダと、アッパパネルと本体ホルダとの間にアッパパネルに対して回転可能に配置される、周壁の相対する二箇所それぞれに設けられた径方向外側に凹んだ格納凹部を有する円筒状のサポートホルダと、を有する。収納ホルダは、各格納凹部の両側側壁に揺動可能に支持された板状のサポート部材と、サポート部材を所定突出位置に向けて揺動させる付勢部材と、を備える。各サポート部材は、突出先端側に設けられた、揺動中心側に凹んだ溝部と、溝部を周方向に挟む二つの突部と、を有する。各突部は、溝部側の先端角部を切り欠いて弧状に形成された弧面部を有する。【選択図】図２
2020050206.tif 000002
【特許請求の範囲】
【請求項１】
円形の開口部を有するアッパパネルと、
前記アッパパネルの下方に配置される、前記開口部に通じる収納空間を有するホルダ部材と、
を備える収納ホルダであって、
前記ホルダ部材は、
収納物を支持する底壁を有する有底円筒状の本体ホルダと、
前記アッパパネルと前記本体ホルダとの間に前記アッパパネルに対して回転可能に配置される、周壁の相対する二箇所それぞれに設けられた径方向外側に凹んだ格納凹部を有する円筒状のサポートホルダと、
を有し、
前記収納ホルダは、
各前記格納凹部の両側側壁に、前記収納空間内に向けて突出する所定突出位置と前記格納凹部に格納される所定格納位置との間で揺動可能に支持された板状のサポート部材と、
前記サポート部材を前記所定突出位置に向けて揺動させる付勢力を発生する付勢部材と、
を備え、
各前記サポート部材は、突出先端側に設けられた、揺動中心側に凹んだ溝部と、それぞれ揺動中心側とは反対側に向けて延びる、前記溝部を周方向に挟む二つの突部と、を有し、
各前記突部は、前記溝部側の先端角部を切り欠いて弧状に形成された弧面部を有する、収納ホルダ。
【請求項２】
前記本体ホルダは、前記サポートホルダの下方に配置される円筒状のアッパ本体と、前記アッパ本体の下方に前記アッパ本体に対して上下動可能に配置される、前記底壁を有する有底円筒状のロア本体と、を有し、
前記収納ホルダは、前記ロア本体を前記アッパ本体に対して上下動させる昇降機構を備える、請求項１に記載の収納ホルダ。
【請求項３】
前記昇降機構は、
径方向に開口すると共に上下方向に延びるスライド溝と、
前記スライド溝に上下動可能に案内されるスライドピンと、
径方向内側に突出する係合突起部と、
径方向外側に開口する、前記係合突起部が係合する係合溝部と、
を有し、
前記スライド溝は、前記アッパ本体及び前記ロア本体の何れか一方に設けられ、
前記スライドピンは、前記アッパ本体及び前記ロア本体の何れか他方に設けられ、
前記係合突起部は、前記サポートホルダ及び前記ロア本体の何れか一方の内面に設けられ、
前記係合溝部は、前記サポートホルダ及び前記ロア本体の何れか他方の外面に螺旋状に延びて設けられ、
前記昇降機構は、前記アッパパネルに対する前記サポートホルダの回転に応じて前記係合突起部と前記係合溝部との係合位置を変えることにより、前記ロア本体を前記アッパ本体に対して上下動させる、請求項２に記載の収納ホルダ。
【請求項４】
二つの前記サポート部材が有するすべての前記突部の前記弧面部は、上方から見て一つの円に沿う円弧面をなすように形成されている、請求項１乃至３の何れか一項に記載の収納ホルダ。
【請求項５】
前記弧面部は、前記サポート部材の前記所定突出位置と前記所定格納位置との範囲に亘って常に上方から見て円弧面をなすように形成されている、請求項１乃至４の何れか一項に記載の収納ホルダ。
【請求項６】
前記本体ホルダと前記サポートホルダとの間に介在する、前記サポートホルダを前記アッパパネルの裏面側へ押圧するボールプランジャを備え、
前記サポートホルダは、前記ボールプランジャが当接する当接面に周方向に複数並んで設けられた、前記ボールプランジャの先端ボールを保持する保持溝を有する、請求項１乃至５の何れか一項に記載の収納ホルダ。
【発明の詳細な説明】
【技術分野】
【０００１】
本発明は、例えばペットボトルや缶などを収納可能な収納ホルダに関する。
【背景技術】
【０００２】
従来、車両のセンタコンソールなどに搭載される収納ホルダが知られている（例えば、特許文献１及び２）。これらの収納ホルダはそれぞれ、収納物を収納可能な収納空間及びその収納空間を上面に開口させる開口部を有している。特許文献１に記載された収納ホルダは、ペットボトルや缶などの円柱状の飲料容器に対応して円柱状に形成された大容量の第一収納空間と円形の開口部とを有していると共に、更に、スマートフォンなどに対応して四角柱状に形成された小容量の第二収納空間と矩形の開口部とを有している。また、特許文献２に記載された収納ホルダは、円柱状の空間が横長の四角柱状の空間の中央部に配置された大容量の収容空間を有し、円形開口が横長の四角形の開口の中央部に配置された開口部を有している。
【先行技術文献】
【特許文献】
【０００３】
【特許文献１】米国特許出願公開第２０１８／００２９５３７号
【特許文献２】米国特許出願公開第２００９／０２８９１６２号
【発明の概要】
【発明が解決しようとする課題】
【０００４】
しかしながら、上記特許文献１に記載する如く、ペットボトルや缶などを収納する収納空間とスマートフォンを収納する収納空間とが別々に設けられていると、収納ホルダ全体の容積や占有面積が過大になってしまう。また、上記特許文献２に記載する如く、大容量の収納空間を開口させる開口部が幅広に形成されていると、その収納空間に収納された薄型のスマートフォンがその収納空間内でガタついて異音が発生することがある。更に、上記特許文献２に記載された収納ホルダでは、収納空間内でスマートフォンを保持する大きさを変更することができないので、スマートフォンを収納空間内でガタつかせることなく適切に保持するうえで、様々な大きさのスマートフォンに対応することができない。
【０００５】
本発明は、このような点に鑑みてなされたものであり、ペットボトルや缶などの円柱状の飲料容器を適切に保持可能な収納空間内で様々な大きさのスマートフォンをガタつかせることなく適切に保持することが可能な収納ホルダを提供することを目的とする。
【課題を解決するための手段】
【０００６】
本発明の一態様は、円形の開口部を有するアッパパネルと、前記アッパパネルの下方に配置される、前記開口部に通じる収納空間を有するホルダ部材と、を備える収納ホルダであって、前記ホルダ部材は、収納物を支持する底壁を有する有底円筒状の本体ホルダと、前記アッパパネルと前記本体ホルダとの間に前記アッパパネルに対して回転可能に配置される、周壁の相対する二箇所それぞれに設けられた径方向外側に凹んだ格納凹部を有する円筒状のサポートホルダと、を有し、前記収納ホルダは、各前記格納凹部の両側側壁に、前記収納空間内に向けて突出する所定突出位置と前記格納凹部に格納される所定格納位置との間で揺動可能に支持された板状のサポート部材と、前記サポート部材を前記所定突出位置に向けて揺動させる付勢力を発生する付勢部材と、を備え、各前記サポート部材は、突出先端側に設けられた、揺動中心側に凹んだ溝部と、それぞれ揺動中心側とは反対側に向けて延びる、前記溝部を周方向に挟む二つの突部と、を有し、各前記突部は、前記溝部側の先端角部を切り欠いて弧状に形成された弧面部を有する、収納ホルダである。
【０００７】
この構成によれば、サポートホルダの収納空間の中心を挟んで相対する二つのサポート部材の揺動位置を所定突出位置と所定格納位置との間で変えることができるので、直径の異なる複数種類の飲料容器をそれぞれ適切に対応させて収納空間に保持することができる。また、各サポート部材の突出先端側に設けられた溝部により、収納空間に挿入されたスマートフォンの幅方向端部の水平移動を規制することができるので、収納空間内でのスマートフォンのガタツキを抑えることができる。従って、円柱状の飲料容器を適切に保持可能な収納空間内で様々な大きさのスマートフォンをガタつかせることなく適切に保持することができる。
【図面の簡単な説明】
【０００８】
【図１】第一実施形態に係る収納ホルダ（但し、収納物としてスマートフォンが収納された状態）の斜視図である。
【図２】第一実施形態の収納ホルダの分解斜視図である。
【図３】第一実施形態の収納ホルダを上方から見た図である。
【図４】第一実施形態の収納ホルダを図３に示す直線IV−IVで切断した断面図である。
【図５】第一実施形態の収納ホルダを図３に示す直線V−Vで切断した断面図である。
【図６】第一実施形態の収納ホルダが備えるサポート部材の斜視図である。
【図７】小径のペットボトルや幅狭のスマートフォンなどの収納物が収納されたときのサポート部材の状態及び形状を説明するための図である。
【図８】大径の大型紙コップや幅広のスマートフォンなどの収納物が収納されたときのサポート部材の状態及び形状を説明するための図である。
【図９】第二実施形態に係る収納ホルダ（但し、収納物として水筒が収納された状態）の斜視図である。
【図１０】第二実施形態の収納ホルダの分解斜視図である。
【図１１】第二実施形態の収納ホルダを上方から見た図（透過図）である。
【図１２】第二実施形態の収納ホルダ（但し、収納物としてスマートフォンが収納された状態）を図１１に示す直線XII−XIIで切断した断面図である。
【図１３】第二実施形態の収納ホルダを図１１に示す直線XIII−XIIIで切断した断面図である。
【図１４】第二実施形態の収納ホルダ（但し、収納物として大型紙コップが収納された状態）を図１１に示す直線XIV−XIVで切断した断面図である。
【発明を実施するための形態】
【０００９】
図面を用いて、本発明に係る収納ホルダの具体的な実施形態について説明する。
【００１０】
［第一実施形態］
第一実施形態の収納ホルダ１は、車両室内のセンタコンソールなどに装着される、主にペットボトルや缶，水筒などの飲料容器を保持する保持装置である。収納ホルダ１は、更に、スマートフォンや携帯電話などを保持することが可能である。収納ホルダ１は、図１−図５に示す如く、アッパパネル１０と、ホルダ部材２０と、回転機構５０と、不織布６０と、サポート機構７０と、を備えている。
【００１１】
アッパパネル１０は、収納ホルダ１の上面として表出するパネル部材である。アッパパネル１０は、板面部１１と、開口部１２と、円筒部１３と、を有している。板面部１１は、薄厚で略水平な上壁パネル部である。板面部１１は、略四角形状に形成されている。開口部１２は、板面部１１の略中央に設けられた円形の開口である。開口部１２の直径は、例えば１００ｍｍなどである。円筒部１３は、板面部１１の裏面に形成されており、開口部１２の周縁から下方に向けて延びる側壁である。
【００１２】
アッパパネル１０の板面部１１の裏面には、図３及び図４に示す如く、立壁部１４が設けられている。立壁部１４は、アッパパネル１０の裏面から下方に広がる壁部である。立壁部１４は、開口部１２の周縁に互いに９０°で交わる二面をなすようにＬ字状に形成されている。立壁部１４の二面にはそれぞれ、スマートフォンや携帯電話などに無線給電する給電器８０がボルトなどで取り付け固定される。尚、図３において、給電器８０の給電領域を二点鎖線で示す。
【００１３】
ホルダ部材２０は、収納物を保持する保持部材である。ホルダ部材２０は、アッパパネル１０の下方に配置されている。ホルダ部材２０は、有底円筒状に形成されている。ホルダ部材２０は、円柱状に形成された収納空間２１を有している。収納空間２１は、開口部１２に通じている。収納空間２１の下端は、底壁２２により閉じられている。底壁２２は、円形に形成されており、水平に広がっている。底壁２２は、収納物の底部に当接されてその収納物を支持することが可能である。尚、収納空間２１は、開口部１２側の面積が大きくかつ底壁２２側の面積が小さくなるように断面台形状に形成されていてよい。また、収納空間２１の高さ（具体的には、底壁２２から開口部１２までの高さ）は、例えば１００ｍｍである。
【００１４】
ホルダ部材２０は、本体ホルダ３０と、サポートホルダ４０と、を有している。ホルダ部材２０は、本体ホルダ３０とサポートホルダ４０とが相対回転可能になるように構成されている。
【００１５】
本体ホルダ３０は、有底円筒状に形成されており、上記の底壁２２を有していると共に、周壁３１を有している。周壁３１は、円筒状に形成されている。周壁３１は、下端で底壁２２と一体化されている。周壁３１の上端には、径方向外側に突出するフランジ部３２が設けられている。周壁３１は、底壁２２からフランジ部３２にかけて上下方向に所定高さを有しており、収納空間２１の一部を形成している。
【００１６】
周壁３１の上端には、上方に延びる板状のリブ３３が設けられている。リブ３３は、フランジ部３２の径方向外側端から上方に延びている。リブ３３は、周壁３１の相対する周方向二箇所それぞれに設けられている。各リブ３３の上端には、径方向外側に突出する先端フランジ部３４が設けられている。先端フランジ部３４には、上下に貫通する貫通孔３５が設けられている。本体ホルダ３０は、アッパパネル１０に固定されている。本体ホルダ３０のアッパパネル１０への固定は、先端フランジ部３４の下方からスクリュ９０が貫通孔３５に挿入された状態でアッパパネル１０の板面部１１の裏面に設けられた座部１５（図５参照）に取り付けられることにより実現される。
【００１７】
サポートホルダ４０は、円筒状に形成されており、周壁４１を有している。周壁４１の下端には、径方向外側に突出する下部フランジ部４２が設けられている。周壁４１の上端には、径方向外側に突出する上部フランジ部４３が設けられている。周壁４１は、下部フランジ部４２から上部フランジ部４３にかけて上下方向に所定高さを有しており、収納空間２１の一部を形成している。
【００１８】
サポートホルダ４０は、本体ホルダ３０の上方に配置されており、アッパパネル１０と本体ホルダ３０との間に配置されている。サポートホルダ４０は、下部フランジ部４２が本体ホルダ３０のフランジ部３２に対向すると共に、上部フランジ部４３がアッパパネル１０の開口部１２周縁の裏面に対向するように配置されている。サポートホルダ４０は、開口部１２の中心Ｃを中心にして本体ホルダ３０ひいてはアッパパネル１０に対して回転可能である。この回転可能な角度範囲は、例えば９０°である。
【００１９】
回転機構５０は、サポートホルダ４０を本体ホルダ３０及びアッパパネル１０に対して回転させる機構である。回転機構５０は、スプリングプランジャ５１と、ボール５２と、を有している。スプリングプランジャ５１及びボール５２は、本体ホルダ３０とサポートホルダ４０との間に介在している。スプリングプランジャ５１は、軸方向にスプリング力を発生する部材である。
【００２０】
スプリングプランジャ５１は、本体ホルダ３０に設けられた、フランジ部３２に開口するスプリング孔３６に挿入されている。スプリングプランジャ５１の一端は、スプリング孔３６の底壁に固定されている。スプリングプランジャ５１の他端には、ボール５２が取り付けられている。スプリングプランジャ５１は、スプリング孔３６に挿入されかつ他端にボール５２が取り付けられているとき、外部から荷重が作用していない状態でそのボール５２がスプリング孔３６の開口から上方に突出するように設定されている。ボール５２は、サポートホルダ４０の下部フランジ部４２に当接している。スプリングプランジャ５１は、スプリング力によりボール５２を介してサポートホルダ４０をアッパパネル１０の裏面側へ押圧する。
【００２１】
サポートホルダ４０の下部フランジ部４２には、保持溝４４が設けられている。保持溝４４は、下部フランジ部４２の、ボール５２が当接する当接面である下面に設けられる。保持溝４４は、一個のボール５２を保持可能な大きさに形成されている。保持溝４４は、スプリングプランジャ５１の他端のボール５２を保持するための溝である。保持溝４４は、断面形状が例えば四角形状や台形状，半円形状となるように形成されている。保持溝４４は、下部フランジ部４２の下面にサポートホルダ４０の周方向に複数並んでいる。下部フランジ部４２において保持溝４４が占める領域の角度範囲は、サポートホルダ４０が開口部１２の中心Ｃを中心にして本体ホルダ３０に対して回転可能な範囲に一致しており、例えば９０°である。サポートホルダ４０は、本体ホルダ３０に対してその角度範囲に亘って回転することができ、スプリングプランジャ５１のスプリング力により複数の保持溝４４のうち何れか一の保持溝４４に保持される。
【００２２】
不織布６０は、サポートホルダ４０とアッパパネル１０との間に介在している。不織布６０は、サポートホルダ４０の上部フランジ部４３又はアッパパネル１０の裏面に貼り付けられている。不織布６０は、サポートホルダ４０がスプリングプランジャ５１によりアッパパネル１０側へ押圧された状態で本体ホルダ３０に対して回転したとき、サポートホルダ４０とアッパパネル１０との摺動により発生する異音や削り，ガタを抑える機能を有している。
【００２３】
サポートホルダ４０は、格納凹部４５を有している。格納凹部４５は、周壁４１に設けられている。格納凹部４５は、周壁４１に対して径方向外側に凹んでいる。格納凹部４５は、周壁４１の相対する周方向二箇所それぞれに設けられている。各格納凹部４５は、凹部底壁４５Ｂと、二つの凹部側壁４５Ｌ，４５Ｒと、を有している。
【００２４】
凹部底壁４５Ｂは、サポートホルダ４０の下部フランジ部４２の径方向外側端よりも径方向外側に位置する、上下方向に広がる立壁である。凹部側壁４５Ｌ，４５Ｒは、凹部底壁４５Ｂを底壁とする両側側壁であって、凹部底壁４５Ｂの周方向両端から径方向内側に延びて上下方向に広がる立壁である。凹部側壁４５Ｌは、凹部底壁４５Ｂに対して周方向左側に位置している。凹部側壁４５Ｒは、凹部底壁４５Ｂに対して周方向右側に位置している。凹部側壁４５Ｌ，４５Ｒにはそれぞれ、シャフト孔４６が設けられている。凹部側壁４５Ｌ，４５Ｒのシャフト孔４６は、互いに略同じ高さに形成されている。
【００２５】
サポート機構７０は、ホルダ部材２０の収納空間２１に収納された収納物の保持を補助する機構である。サポート機構７０は、周方向二箇所の格納凹部４５それぞれに対応して設けられている。二つのサポート機構７０は、互いに略同じ性能を有している。各サポート機構７０は、サポート部材７１と、サポートシャフト７２と、サポートスプリング７３と、を有している。
【００２６】
サポート部材７１は、サポートホルダ４０の格納凹部４５に格納されることが可能である。サポート部材７１は、板状に形成された部材である。サポート部材７１は、剛性確保のために所定厚さ（例えば８ｍｍなど）を有している。サポート部材７１の両側側壁にはそれぞれ、シャフト孔７４が設けられている。シャフト孔７４は、サポート部材７１の側壁の一端側に設けられている。
【００２７】
サポートホルダ４０の格納凹部４５の凹部側壁４５Ｌ，４５Ｒのシャフト孔４６とサポート部材７１のシャフト孔７４とには、直線状に延びるサポートシャフト７２が挿通されている。サポート部材７１は、水平に延びるサポートシャフト７２を介してサポートホルダ４０の格納凹部４５の凹部側壁４５Ｌ，４５Ｒに支持されている。サポート部材７１は、サポートシャフト７２を中心にしてサポートホルダ４０に対して揺動（回動）することが可能である。
【００２８】
サポート部材７１は、収納空間２１内に向けて突出する所定突出位置Ｐ１と、格納凹部４５に格納される所定格納位置Ｐ２と、の間で揺動する。サポート部材７１は、所定突出位置Ｐ１では、シャフト孔７４が設けられた側壁の一端側とは反対の他端側を含む先端側を収納空間２１内に向けて突出させた状態にある。また、サポート部材７１は、所定格納位置Ｐ２では、その突出先端側をシャフト孔７４が設けられた一端側よりも下方に位置させた状態にある。サポート部材７１の所定突出位置Ｐ１と所定格納位置Ｐ２との間の揺動角度は、例えば９０°である。
【００２９】
サポートホルダ４０とサポート部材７１との間には、サポートスプリング７３が介在している。サポートスプリング７３は、周方向にスプリング力を発生する付勢部材である。サポートスプリング７３は、サポートシャフト７２を囲むように配置されている。サポートスプリング７３の一端は、サポートホルダ４０に支持されている。サポートスプリング７３の他端は、サポート部材７１に支持されている。サポートスプリング７３は、サポート部材７１を上記の所定突出位置Ｐ１に向けて揺動させる付勢力を発生する。
【００３０】
サポート部材７１は、常態では、サポートスプリング７３の付勢力により突出先端側を収納空間２１内に向けて突出させた所定突出位置Ｐ１にある。尚、サポート部材７１は、所定突出位置Ｐ１を超えて揺動することがないように規制部材により規制されていてよい。また、所定突出位置Ｐ１は、サポート部材７１の突出先端側の高さがシャフト孔７４が設けられた一端側（根元側）の高さに一致する揺動位置（すなわち、サポート部材７１が水平に延びる揺動位置）であることが好ましい。この所定突出位置Ｐ１では、周方向に相対する格納凹部４５に位置する二つのサポート部材７１の先端間の距離が最短になるので、収納ホルダ１に収納可能な収納物の外径を小さくすることができる。
【００３１】
サポート部材７１は、図６に示す如く、溝部７５と、二つの突部７６Ｌ，７６Ｒと、を有している。溝部７５及び突部７６Ｌ，７６Ｒは、サポート部材７１の突出先端側に設けられている。溝部７５は、シャフト孔７４が設けられた一端側（すなわち、揺動中心側）に凹んだ溝である。溝部７５は、略矩形状に形成されている。溝部７５の溝深さは、例えば１０ｍｍ−１５ｍｍである。また、溝部７５の溝幅は、保持対象のスマートフォンの厚さに対応して例えば１０ｍｍ−１５ｍｍである。二つの突部７６Ｌ，７６Ｒはそれぞれ、揺動中心側とは反対側に向けて延びる突起である。二つの突部７６Ｌ，７６Ｒは、溝部７５を周方向に挟んでいる。突部７６Ｌは、溝部７５に対して周方向左側に位置している。突部７６Ｒは、溝部７５に対して周方向右側に位置している。
【００３２】
各突部７６Ｌ，７６Ｒは、上面７６ａと、先端面７６ｂと、内側側面７６ｃと、を有している。上面７６ａは、所定突出位置Ｐ１で上方に向きかつ所定格納位置Ｐ２で収納空間２１側に向く面である。上面７６ａは、略平面に形成されている。上面７６ａは、サポート部材７１の上面の一部をなしている。先端面７６ｂは、突部７６Ｌ，７６Ｒが延びる方向に向いた面である。先端面７６ｂは、上面７６ａから滑らかに湾曲するようにＲ面状に形成されている。また、溝部７５の底壁７５ａは、サポート部材７１の上面から滑らかに湾曲するようにＲ面状に形成されている。内側側面７６ｃは、溝部７５に臨む面である。内側側面７６ｃは、略平面に形成されている。
【００３３】
突部７６Ｌ，７６Ｒにおける先端面７６ｂと内側側面７６ｃとが交わる角部すなわち溝部７５側の先端角部は、切り欠かれている。突部７６Ｌ，７６Ｒは、弧状に形成された弧面部７７を有している。弧面部７７は、溝部７５側の先端角部に形成されており、開口部１２の中心Ｃを中心にした円に沿う面をなしている。尚、弧面部７７は、サポート部材７１の所定突出位置Ｐ１と所定格納位置Ｐ２との範囲に亘って常に収納ホルダ１の上方から見て円弧面をなすように形成されていることが好ましい。
【００３４】
次に、収納ホルダ１の動作について説明する。
【００３５】
収納ホルダ１は、ペットボトルや缶などの円柱状の飲料容器やスマートフォンを収納空間２１に収納保持することが可能である。保持対象の飲料容器は、例えば、直径が４０ｍｍ−１００ｍｍの範囲にありかつ高さが１００ｍｍ−２５０ｍｍの範囲にある容器である。また、保持対象のスマートフォンは、幅が６０ｍｍ−９０ｍｍの範囲にある携帯端末である。収納ホルダ１は、収納空間２１に何も収納されていない常態では、サポート部材７１を突出先端側を収納空間２１内に突出させた所定突出位置Ｐ１に揺動させた状態にある。
【００３６】
車両乗員などは、収納ホルダ１に保持対象の飲料容器を保持させるときは、その飲料容器を収納空間２１に挿入する。上記の常態状況から保持対象の飲料容器が収納空間２１に挿入されると、その飲料容器の底部で、収納空間２１の中心を挟んで相対する二つのサポート部材７１の先端側が略同時に下方に押圧されることで、両サポート部材７１がサポートスプリング７３の付勢力に抗してサポートシャフト７２を中心にして所定格納位置Ｐ２側へ揺動する。
【００３７】
上記の揺動は、飲料容器の直径に応じた角度まで進行する。そして、サポート部材７１の先端側が飲料容器の側面に沿って摺接し始めた後は、そのサポート部材７１の揺動角度はほぼ維持される。その後、飲料容器の底部が収納ホルダ１の底壁２２に当接すると、二つのサポート部材７１がその飲料容器を径方向で挟持しつつ底壁２２がその飲料容器を支持するので、その飲料容器が収納ホルダ１に保持される。
【００３８】
飲料容器が収納ホルダ１に保持された状態では、その収納ホルダ１の二つのサポート部材７１は共に、その飲料容器の直径に応じた揺動位置にある。例えば、図７に示す如く、直径の比較的小さな飲料容器では、各サポート部材７１が所定突出位置Ｐ１に近い揺動位置に位置する。また、図８に示す如く、直径の比較的大きな飲料容器では、各サポート部材７１が所定格納位置Ｐ２に近い揺動位置に位置する。このため、サポート機構７０の構造によれば、保持される飲料容器の直径に応じてサポート部材７１の揺動位置を所定突出位置Ｐ１と所定格納位置Ｐ２との間で変えることができるので、直径の異なる複数種類の飲料容器をそれぞれ適切に対応させて収納空間２１に保持することができる。
【００３９】
また、サポート部材７１の突部７６Ｌ，７６Ｒそれぞれの溝部７５側の先端角部は、弧面部７７により弧状に形成されている。この弧面部７７は、開口部１２の中心Ｃを中心にした円に沿う面をなしている。この構造では、二つのサポート部材７１が収納空間２１に挿入された円柱状の飲料容器を挟持した際に、各サポート部材７１の二つの突部７６Ｌ，７６Ｒの弧面部７７それぞれがその飲料容器の外面に沿って支持する。この際、飲料容器は、外面全周で合計４つの弧面部７７の挟持により支持される。また、４つの弧面部７７は、上方から見て一つの円に沿う円弧面をなす。このため、サポート機構７０の構造によれば、円柱状の飲料容器の保持安定性を向上させることができる。
【００４０】
更に、車両乗員などは、収納ホルダ１に保持対象のスマートフォンを保持させるときは、そのスマートフォンを収納空間２１に挿入する。この際、保持対象のスマートフォンは、収納ホルダ１の上記した常態状況から、収納空間２１の一部であって、収納空間２１の中心を挟んで相対する二つのサポート部材７１の溝部７５同士を繋ぐ空間に嵌るように挿入される。かかる空間にスマートフォンが挿入されると、そのスマートフォンの底部で、二つのサポート部材７１の溝部７５の底壁７５ａが略同時に下方に押圧されることで、両サポート部材７１がサポートスプリング７３の付勢力に抗してサポートシャフト７２を中心にして所定格納位置Ｐ２側へ揺動する。
【００４１】
上記の揺動は、スマートフォンの幅に応じた角度まで進行する。そして、サポート部材７１の溝部７５の底壁７５ａがスマートフォンの側面に沿って摺接し始めた後は、そのサポート部材７１の揺動角度はほぼ維持される。その後、スマートフォンの底部が収納ホルダ１の底壁２２に当接すると、二つのサポート部材７１がそのスマートフォンを幅方向で挟持しつつ底壁２２がそのスマートフォンを支持するので、そのスマートフォンが収納ホルダ１に保持される。
【００４２】
スマートフォンが収納ホルダ１に保持された状態でも、その収納ホルダ１の二つのサポート部材７１は共に、そのスマートフォンの幅に応じた揺動位置にある。例えば、幅の狭いスマートフォンでは、各サポート部材７１が所定突出位置Ｐ１に近い揺動位置に位置する。また、幅の広いスマートフォンでは、各サポート部材７１が所定格納位置Ｐ２に近い揺動位置に位置する。このため、サポート機構７０の構造によれば、保持されるスマートフォンの幅に応じてサポート部材７１の揺動位置を所定突出位置Ｐ１と所定格納位置Ｐ２との間で変えることができるので、幅の異なる複数種類のスマートフォンをそれぞれ適切に対応させて保持することができる。
【００４３】
また、スマートフォンの保持は、収納空間２１の中心を挟んで相対する二つのサポート部材７１に設けられた溝部７５同士を繋ぐ空間にスマートフォンを嵌めることにより実現される。特に、溝部７５は、保持対象のスマートフォンの厚さに対応した溝幅を有する略矩形状に形成された部位である。このため、上記スマートフォンを保持可能なサポート機構７０の構造によれば、収納空間２１に挿入されたスマートフォンの幅方向端部の水平移動を二つの溝部７５により規制することができるので、収納空間２１内でのスマートフォンのガタツキを抑えることができる。
【００４４】
従って、本実施形態の収納ホルダ１によれば、スマートフォンを保持する収納空間をペットボトルや缶などの円柱状の飲料容器を保持する収納空間とは別に設けることは不要であるので、車両のセンタコンソールなどにおける収納スペースの縮小を図ることができる。また、円柱状の飲料容器を保持可能な収納空間２１内で、様々な大きさ（幅）のスマートフォンをガタつかせることなく適切に保持することができる。
【００４５】
また、上記の常態状況では、サポート部材７１の突出先端側が収納空間２１内に突出している。車両乗員などは、収納空間２１に収容保持するスマートフォンの画面向きを変更することを希望したとき、そのサポート部材７１の突出先端側を周方向に押す。サポート部材７１の突出先端部が周方向に押されると、そのサポート部材７１を揺動可能に支持するサポートホルダ４０が本体ホルダ３０及びアッパパネル１０に対して、その押された方向と同じ回転方向に回転する。
【００４６】
この回転時、回転機構５０のボール５２は、サポートホルダ４０の下部フランジ部４２に対して相対的に周方向に移動する。この移動過程において、ボール５２がその下部フランジ部４２の保持溝４４とその保持溝４４に周方向に隣接する保持溝４４との間の突部を乗り越えるごとに、スプリングプランジャ５１にそのスプリングプランジャ５１を収縮させる力が作用する。そして、ボール５２が下部フランジ部４２の保持溝４４間の突部を乗り越えると、その後、スプリングプランジャ５１が伸張して、そのボール５２が次の保持溝４４に保持される。このため、回転機構５０の構造によれば、サポートホルダ４０を本体ホルダ３０及びアッパパネル１０に対して回転可能な範囲で任意の回転位置に固定させることができる。これにより、スマートフォンを挟持する二つのサポート部材７１の、アッパパネル１０に対する角度位置を調整することができ、スマートフォンを車両乗員に使い易い角度位置で保持させることができる。
【００４７】
また、サポートホルダ４０を本体ホルダ３０及びアッパパネル１０に対して回転させるためには、スプリングプランジャ５１に、ボール５２が保持溝４４間の突部を乗り越えるだけの収縮力を作用させることが必要である。この収縮力は、車両走行中の振動などでは生じない大きさであって、人によるサポート部材７１の突出先端側を周方向への押圧操作で生じ得る大きさに設定されている。このため、回転機構５０の構造によれば、本体ホルダ３０及びアッパパネル１０に対するサポートホルダ４０の回転を人の押圧操作で容易に生じさせつつ、そのサポートホルダ４０の回転が車両振動などで生ずるのを防止することができる。これにより、アッパパネル１０に対するサポート部材７１の角度位置調整を車両乗員にとって有用なものとすることができる。
【００４８】
また、アッパパネル１０の裏面には、立壁部１４が、開口部１２の周縁に互いに９０°で交わる二面をなすようにＬ字状に設けられている。この立壁部１４の二面にはそれぞれ、給電器８０が取り付けられている。このため、アッパパネル１０に対するサポートホルダ４０の回転位置、すなわち、二つのサポート部材７１により挟持されて保持されるスマートフォンのアッパパネル１０に対する角度位置が何れであっても、何れかの給電器８０からそのスマートフォンへの給電を効率的に行うことが可能である。
【００４９】
尚、上記の第一実施形態においては、サポートスプリング７３が特許請求の範囲に記載した「付勢部材」に、回転機構５０のスプリングプランジャ５１及びボール５２が特許請求の範囲に記載した「ボールプランジャ」に、ボール５２が特許請求の範囲に記載した「先端ボール」に、それぞれ相当している。
【００５０】
［第二実施形態］
第二実施形態の収納ホルダ１００は、第一実施形態の収納ホルダ１と同様に、飲料容器を保持すると共に、スマートフォンなどを保持する保持装置である。尚、第二実施形態の収納ホルダ１００において、上記第一実施形態の収納ホルダ１と同様の構成については、同一の符号を付してその説明を省略又は簡略する。収納ホルダ１００は、図９−図１４に示す如く、アッパパネル１０と、ホルダ部材１１０と、回転機構５０と、不織布６０と、サポート機構７０と、を備えている。すなわち、収納ホルダ１００は、収納ホルダ１のホルダ部材２０に代えてホルダ部材１１０を用いて構成されている。ホルダ部材１１０は、ホルダ部材２０とは異なり、アッパパネル１０の裏面から底壁までの距離を変更できる機構を有している。
【００５１】
ホルダ部材１１０は、収納物を保持する保持部材である。ホルダ部材１１０は、アッパパネル１０の下方に配置されている。ホルダ部材１１０は、有底円筒状に形成されている。ホルダ部材１１０は、第一実施形態の収納空間２１と同様に、円柱状に形成された収納空間１１１を有している。収納空間１１１は、開口部１２に通じている。収納空間１１１の下端は、円形に形成されて水平に広がる底壁１１２により閉じられている。底壁１１２は、収納物の底部に当接されてその収納物を支持することが可能である。尚、収納空間１１１は、開口部１２側の面積が大きくかつ底壁１１２側の面積が小さくなるように断面台形状に形成されていてよい。また、収納空間１１１の高さ（具体的には、底壁１１２から開口部１２までの高さ）は、例えば１００ｍｍである。
【００５２】
ホルダ部材１１０は、本体ホルダ１２０と、サポートホルダ１５０と、を有している。ホルダ部材１１０は、本体ホルダ１２０とサポートホルダ１５０とが相対的に回転可能になるように構成されている。また、本体ホルダ１２０は、アッパ本体１３０と、ロア本体１４０と、を有している。本体ホルダ１２０は、サポートホルダ１５０ひいてはアッパ本体１３０とロア本体１４０とが相対的に上下動可能になるように構成されている。
【００５３】
サポートホルダ１５０は、円筒状に形成されており、周壁１５１を有している。周壁１５１の下端には、径方向外側に突出する下部フランジ部１５２が設けられている。周壁１５１の上端には、径方向外側に突出する上部フランジ部１５３が設けられている。周壁１５１は、下部フランジ部１５２から上部フランジ部１５３にかけて上下方向に所定高さを有しており、収納空間１１１の一部を形成している。
【００５４】
サポートホルダ１５０は、本体ホルダ１２０の上方に配置されており、アッパパネル１０と本体ホルダ１２０との間に配置されている。サポートホルダ１５０は、下部フランジ部１５２が本体ホルダ１２０のアッパ本体１３０の後述のフランジ部に対向すると共に、上部フランジ部１５３がアッパパネル１０の開口部１２周縁の裏面に対向するように配置されている。サポートホルダ１５０は、開口部１２の中心Ｃを中心にして本体ホルダ１２０ひいてはアッパパネル１０に対して回転可能である。この回転可能な角度範囲は、例えば９０°である。
【００５５】
回転機構５０は、サポートホルダ１５０を本体ホルダ１２０及びアッパパネル１０に対して回転させる機構である。サポートホルダ１５０の下部フランジ部１５２には、第一実施形態の保持溝４４と同様の保持溝１５４が設けられている。サポートホルダ１５０は、第一実施形態の格納凹部４５と同様の格納凹部１５５を有している。サポート機構７０は、周方向二箇所の格納凹部１５５それぞれに対応して設けられている。
【００５６】
本体ホルダ１２０のアッパ本体１３０は、サポートホルダ１５０の下方に配置されている。アッパ本体１３０は、円筒状に形成されており、周壁１３１を有している。周壁１３１の上端には、径方向外側に突出するフランジ部１３２が設けられている。周壁１３１は、上下方向に所定高さを有しており、収納空間１１１の一部を形成している。
【００５７】
周壁１３１の上端には、上方に延びる板状のリブ１３３が設けられている。リブ１３３は、フランジ部１３２の径方向外側端から上方に延びている。リブ１３３は、周壁１３１の相対する周方向二箇所それぞれに設けられている。各リブ１３３の上端には、径方向外側に突出する先端フランジ部１３４が設けられている。先端フランジ部１３４には、上下に貫通する貫通孔１３５が設けられている。アッパ本体１３０は、アッパパネル１０に固定されている。アッパ本体１３０のアッパパネル１０への固定は、先端フランジ部１３４の下方からスクリュ９０が貫通孔１３５に挿入された状態でアッパパネル１０の板面部１１の裏面に設けられた座部に取り付けられることにより実現される。
【００５８】
本体ホルダ１２０のロア本体１４０は、アッパ本体１３０の下方に配置されている。ロア本体１４０は、有底円筒状に形成されており、上記の底壁１１２を有していると共に、周壁１４１を有している。周壁１４１は、円筒状に形成されている。周壁１４１は、下端で底壁１１２と一体化されている。周壁１４１は、底壁１１２から上端にかけて上下方向に所定高さを有しており、収納空間１１１の一部を形成している。
【００５９】
収納ホルダ１００は、更に、昇降機構１６０を備えている。昇降機構１６０は、ロア本体１４０をアッパ本体１３０に対して上下動させる機構である。昇降機構１６０は、スライド溝１６１と、スライドピン１６２と、係合突起部１６３と、係合溝部１６４と、を有している。
【００６０】
スライド溝１６１は、アッパ本体１３０の各リブ１３３に設けられている。スライド溝１６１は、径方向外側に開口している。尚、スライド溝１６１は、リブ１３３を径方向に貫通する貫通孔であってもよい。スライド溝１６１は、上下方向に延びる略長方形状に形成された係合溝である。
【００６１】
ロア本体１４０の周壁１４１には、その周壁１４１の外面から上方に延びる板状のリブ１４３が設けられている。リブ１４３は、周壁１４１の相対する周方向二箇所それぞれに設けられている。上記のスライドピン１６２は、各リブ１４３の上部内面に設けられている。スライドピン１６２は、径方向内側に突出している。スライドピン１６２は、スライド溝１６１の大きさに対応した大きさを有する、水平方向に延びる係合突起である。スライドピン１６２は、アッパ本体１３０のスライド溝１６１の径方向外側からそのスライド溝１６１に係合しており、そのスライド溝１６１に上下動可能に案内されている。
【００６２】
サポートホルダ１５０の下部フランジ部１５２の下端には、下方に延びる板状のリブ１５６が設けられている。リブ１５６は、下部フランジ部１５２の径方向外側端（例えば、格納凹部１５５の底壁）から下方に延びている。リブ１５６は、周壁１５１の相対する周方向二箇所それぞれに設けられている。上記の係合突起部１６３は、各リブ１５６に設けられている。係合突起部１６３は、リブ１５６の下部内面に設けられており、径方向内側に突出している。
【００６３】
上記の係合溝部１６４は、本体ホルダ１２０のロア本体１４０の周壁１４１に設けられている。係合溝部１６４は、周壁１４１における相対する周方向二箇所のリブ１４３を基点にして周方向に分割された二つの周方向領域それぞれにおいて、リブ１４３の間を繋ぐように周方向に延びている。係合溝部１６４は、周壁１４１の外面に設けられており、径方向外側に開口している。係合溝部１６４は、周壁１４１に対して周方向斜めに傾斜するように螺旋状に延びている。上記の係合突起部１６３は、係合溝部１６４に嵌り込んで係合している。
【００６４】
次に、収納ホルダ１００の動作について説明する。
【００６５】
収納ホルダ１００は、第一実施形態の収納ホルダ１と同様に、円柱状の飲料容器やスマートフォンを収納空間１１１に収納保持することが可能である。収納ホルダ１００は、回転機構５０の動作及びサポート機構７０の動作については、収納ホルダ１における動作と同じである。従って、収納ホルダ１００によれば、この動作について収納ホルダ１と同様の効果を得ることができる。
【００６６】
一方、収納ホルダ１００においては、サポート部材７１の突出先端側が周方向に押されると、収納ホルダ１と同様に、サポートホルダ１５０が本体ホルダ１２０及びアッパパネル１０に対して回転する。しかし、サポートホルダ１５０が回転すると、収納ホルダ１とは異なり、そのサポートホルダ１５０のリブ１５６の下部内面に設けられた係合突起部１６３が、ロア本体１４０の周壁１４１の外面に設けられた係合溝部１６４に係合しつつその係合溝部１６４に沿って周壁１４１の外面上で螺旋状に移動する。
【００６７】
サポートホルダ１５０の係合突起部１６３がロア本体１４０の係合溝部１６４に沿って周壁１４１の外面上で螺旋状に移動すると、係合突起部１６３と係合溝部１６４との係合位置が変化することにより、サポートホルダ１５０とロア本体１４０との相対高さが変化して、ロア本体１４０がサポートホルダ１５０に対して上下動する。ロア本体１４０がサポートホルダ１５０に対して上下動する際、その上下動に合わせて、ロア本体１４０のリブ１４３の上部内面に設けられたスライドピン１６２がアッパ本体１３０のリブ１３３に設けられたスライド溝１６１に案内されながら上下動する。このため、係合突起部１６３が係合溝部１６４に沿って周壁１４１の外面上で螺旋状に移動する際、ロア本体１４０は、アッパ本体１３０に対して回転することなく、そのアッパ本体１３０に対して上下動する。
【００６８】
従って、サポート部材７１の突出先端側が周方向に押された場合、サポートホルダ１５０がアッパ本体１３０、ロア本体１４０、及びアッパパネル１０に対して回転するだけでなく、ロア本体１４０がサポートホルダ及びアッパ本体１３０に対して上下動する。ロア本体１４０が上下動すると、アッパパネル１０に対して底壁１１２が昇降するので、収納空間１１１の容量が増減される。このように、サポートホルダ１５０の回転に連動してホルダ部材１１０の底壁１１２を昇降させることができるので、簡易に収納物の高さに対応させて収納空間１１１の底壁１１２を昇降させると共にその収納空間１１１の容量を増減させることができ、収納物がアッパパネル１０から上方に突出する突出量が過大或いは過小となるのを抑えることができる。
【００６９】
ところで、上記の第二実施形態においては、昇降機構１６０のスライド溝１６１がアッパ本体１３０に設けられ、かつ、スライドピン１６２がロア本体１４０に設けられる。しかし、本発明はこれに限定されるものではない。スライド溝１６１がロア本体１４０に設けられ、かつ、スライドピン１６２がアッパ本体１３０に設けられる構造に適用することとしてもよい。
【００７０】
また、上記の第二実施形態においては、昇降機構１６０のスライド溝１６１が径方向外側に開口し、かつ、スライドピン１６２が径方向内側に突出する。しかし、本発明はこれに限定されるものではない。スライド溝１６１が径方向内側に開口し、かつ、スライドピン１６２が径方向外側に突出する構造に適用することとしてもよい。
【００７１】
また、上記の第二実施形態においては、昇降機構１６０の係合突起部１６３がサポートホルダ１５０のリブ１５６の内面に設けられ、かつ、係合溝部１６４がロア本体１４０の周壁１４１の外面に螺旋状に設けられる。しかし、本発明はこれに限定されるものではない。係合突起部１６３がロア本体１４０の内面に設けられ、かつ、係合溝部１６４がサポートホルダ１５０の周壁１５１の外面に螺旋状に設けられる構造に適用することとしてもよい。
【００７２】
また、上記の第二実施形態においては、昇降機構１６０が、回転機構５０の回転に連動してロア本体１４０をアッパ本体１３０に対して上下動させる。しかし、本発明はこれに限定されるものではない。昇降機構１６０が、回転機構５０の回転とは独立して、ロア本体１４０をアッパ本体１３０に対して上下動させることとしてもよい。
【００７３】
更に、上記の第一及び第二実施形態においては、サポート機構７０のサポート部材７１における上面（具体的には、所定突出位置Ｐ１で上方に向きかつ所定格納位置Ｐ２で収納空間２１側に向く面）が、略平面に形成されている。しかし、本発明はこれに限定されるものではない。サポート部材７１のその上面が凹んだ弧状に形成されていてもよい。例えば、サポート部材７１の上面が、所定格納位置Ｐ２でサポートホルダ４０，１５０の周壁４１，１５１に面一となるように弧状に形成されていてよい。この構成によれば、所定格納位置Ｐ２でサポート部材７１全体が格納凹部４５，１５５に収まるので、収納空間２１，１１１の収納物を収納できる有効な容量を最大限確保することができる。
【００７４】
尚、本発明は、上述した実施形態や変形形態に限定されるものではなく、本発明の趣旨を逸脱しない範囲で種々の変更を施すことが可能である。
【符号の説明】
【００７５】
１，１００：収納ホルダ、１０：アッパパネル、１２：開口部、２０，１１０：ホルダ部材、２１，１１１：収納空間、２２，１１２：底壁、３０，１２０：本体ホルダ、４０，１５０：サポートホルダ、４１，１５１：周壁、４４，１５４：保持溝、４５，１５５：格納凹部、４５Ｂ：凹部底壁、４５Ｌ，４５Ｒ：凹部側壁、５０：回転機構、５１：スプリングプランジャ、５２：ボール、７０：サポート機構、７１：サポート部材、７２：サポートシャフト、７３：サポートスプリング、７５：溝部、７６Ｌ，７６Ｒ：突部、７７：弧面部、１３０：アッパ本体、１４０：ロア本体、１６０：昇降機構、１６１：スライド溝、１６２：スライドピン、１６３：係合突起部、１６４：係合溝部。
【図１】
2020050206.tif 000003
【図２】
2020050206.tif 000004
【図３】
2020050206.tif 000005
【図４】
2020050206.tif 000006
【図５】
2020050206.tif 000007
【図６】
2020050206.tif 000008
【図７】
2020050206.tif 000009
【図８】
2020050206.tif 000010
【図９】
2020050206.tif 000011
【図１０】
2020050206.tif 000012
【図１１】
2020050206.tif 000013
【図１２】
2020050206.tif 000014
【図１３】
2020050206.tif 000015
【図１４】
2020050206.tif 000016